(57)【要約】【課題】簡易な構造により、被写体の反対側に被写体像をそのままに表示するとともに、被写体側に向けて鏡像を表示する。【解決手段】デジタルスチルカメラ本体に、撮影者側と被写体側のいずれからも表示可能な液晶パネルを設け、バックライトユニット２４を装着するための第１の空間領域１４、第２の空間領域２０を形成する。被写体像を非反転像として表示させる場合、バックライトユニット２４を第１の空間領域１４に装着させる。一方、被写体像の鏡像を表示させる場合、バックライトユニット２４を第２の空間領域２０に装着させる。【選択図】    図１３
2004248055.tif 000002
【特許請求の範囲】
【請求項１】
所定の方向に光を放射する光源部を有する光源ユニットと、
撮影光学系により捉えられる被写体像を形成するため前記光源部からの光を選択的に透過させる液晶パネルとを備え、
前記液晶パネルのカメラ前面側およびカメラ背面側に前記光源部を配置可能な第１の空間領域及び第２の空間領域がカメラ本体に形成され、
前記光源ユニットが、前記第１および第２の空間領域のいずれかへ前記光源部が選択的に配置されるように、前記カメラ本体に装着され、
前記液晶パネルが、カメラ背面側から見て非反転像を表示するように、前記光源ユニットからの光を透過させることを特徴とするデジタルカメラ。
【請求項２】
前記光源ユニットが、前記第１および前記第２の空間領域に収納可能な形状を有し、手動によって前記第１および前記第２の空間領域のいずれかに着脱自在に装着されることを特徴とする請求項１に記載のデジタルカメラ。
【請求項３】
前記光源ユニットが、前記第１および前記第２の空間領域両方に渡って収納可能な形状を有し、手動によって前記カメラ本体へ着脱自在に装着されることを特徴とする請求項１に記載のデジタルカメラ。
【請求項４】
前記光源ユニットがＵ字型であって、前記Ｕ字型光源ユニットのいずれか一方のバー状部材内部に前記光源部が設けられ、
前記一方のバー状部材および他方のバー状部材が、それぞれ前記第１の空間領域および前記第２の空間領域もしくは前記第２の空間領域および前記第１の空間領域へ選択的に配置されることを特徴とする請求項３に記載のデジタルカメラ。
【請求項５】
前記カメラ本体が、前記カメラ本体の左右両側面を通る方向に沿って形成されるとともに前記光源ユニットの装着方向を案内する案内溝を有し、
前記光源ユニットが、前記案内溝に沿って係合しながら摺動可能なガイドレールを有することを特徴とする請求項２に記載のデジタルカメラ。
【請求項６】
前記カメラ本体が、前記カメラ本体の底面および上面を通る方向に沿って形成されるとともに前記光源ユニットの装着方向を案内するガイドレールを有し、
前記光源ユニットが、前記ガイドレールと摺動可能に係合する案内溝を有することを特徴とする請求項３に記載のデジタルカメラ。
【請求項７】
前記カメラ本体が、前記光源ユニットへ電力供給するため前記案内溝に沿って配置される本体側電源接続部を有し、
前記光源ユニットが、前記本体側電源接続部と接触するため前記ガイドレールに沿って配置されるユニット側電源接続部を有することを特徴とする請求項５に記載のデジタルカメラ。
【請求項８】
前記カメラ本体が、前記光源ユニットへ電力供給するため前記ガイドレールに沿って配置される本体側電源接続部を有し、
前記光源ユニットが、前記本体側電源接続部と接触するため前記案内溝に沿って配置されるユニット側電源接続部を有することを特徴とする請求項６に記載のデジタルカメラ。
【請求項９】
前記光源部が、前記液晶パネル全体へ光を放射させるため一方向に沿って光を放出する発光面を有し、
前記案内溝が、前記光源ユニット装着時に前記発光面が前記液晶パネルと対向するように、左右非対称に形成されていることを特徴とする請求項５に記載のデジタルカメラ。
【請求項１０】
前記光源部が、前記液晶パネル全体へ光を放射させるため一方向に沿って光を放出する発光面を有し、
前記案内溝が、前記光源ユニット装着時に前記発光面が前記液晶パネルと対向するように、左右対称に形成されていることを特徴とする請求項６に記載のデジタルカメラ。
【請求項１１】
前記光源部が、前記液晶パネル全体へ光を放射させるため一方向に沿って光を放出する発光面を有し、
前記光源部が、前記光源ユニット装着時に前記発光面が前記液晶パネルと対向するように、前記第１および第２の空間領域いずれかに選択的に配置されることを特徴とする請求項１に記載のデジタルカメラ。
【請求項１２】
被写体を撮影するための撮影光学系と、
撮影光学系により捉えられる被写体像を形成するため、光源部を有する光源ユニットからの光を選択的に透過させる液晶パネルとを備え、
前記液晶パネルのカメラ前面側およびカメラ背面側に前記光源部を配置可能な第１の空間領域および第２の空間領域が形成され、
前記光源ユニットが、前記第１および第２の空間領域のいずれかへ前記光源部が選択的に配置されるように、着脱自在に装着され、
前記液晶パネルが、カメラ背面側から見て非反転像を表示するように、前記光源ユニットからの光を透過させることを特徴とするデジタルカメラ本体。
【請求項１３】
請求項１２に記載されたデジタルカメラ本体に着脱自在に装着される光源ユニットであって、
光を放射する光源部と、
前記光源部から放射される光を所定方向に沿って進行させる光ガイド手段とを備えたことを特徴とする光源ユニット。
【請求項１４】
所定の方向に光を放射する光源部を有する光源ユニットと、撮影光学系により捉えられる被写体像を形成するため前記光源ユニットからの光を選択的に透過させ、カメラ前面方向を第１のパネル面が向くとともにカメラ背面方向を前記の第１のパネル面とは反対側にある第２のパネル面が向いている状態でカメラ本体に配置される液晶パネルとを備え、
前記第１のパネル面および前記第２のパネル面いずれかの側に前記光源部が選択的に配置されるように、前記光源ユニットが装着され、
前記液晶パネルが、カメラ背面側から見て非反転像を表示するように、前記光源ユニットからの光を透過させることを特徴とするデジタルカメラ。
【請求項１５】
被写体を撮影するための撮影光学系と、
撮影光学系により捉えられる被写体像を形成するため、光源部を有する光源ユニットからの光を選択的に透過させ、カメラ前面方向を第１のパネル面が向くとともにカメラ背面方向を前記第１のパネル面とは反対側になる第２のパネル面が向いている状態で配置される液晶パネルとを備え、
前記第１のパネル面および前記第２のパネル面いずれかの側に前記光源部が選択的に配置されるように、前記光源部ユニットが着脱自在に装着され、
前記液晶パネルが、カメラ背面側から見て非反転像を表示するように、前記光源ユニットからの光を透過させることを特徴とするデジタルカメラ本体。
【請求項１６】
請求項１５に記載されたデジタルカメラ本体に着脱自在に装着される光源ユニットであって、
光を放射する光源部と、
前記光源部から放射される光を所定方向に沿って進行させる光ガイド手段とを備えたことを特徴とする光源ユニット。
【請求項１７】
光を放射する光源部と、
被写体側となる第１の側を向く第１の面と、前記第１の側とは反対側になる第２の側を向く第２の面とを有し、撮影光学系により捉えられる被写体像を形成するため前記光源部からの光を前記第１の面から前記第２の面、あるいは前記第２の面から前記第１の面へ向けて選択的に透過させる光変調ユニットとを備え、
前記光源部が、前記第１の面および前記第２の面いずれかの側に選択的に配置され、
前記光変調ユニットが、前記第２の側から見て非反転像を表示するように、前記光源部からの光を透過させることを特徴とする撮影用表示装置。
【請求項１８】
光を所定方向に放射させ、
被写体側となる第１の側を向く第１の面と、前記第１の側とは反対側になる第２の側を向く第２の面とを有し、撮影光学系により捉えられる被写体像を形成するため前記光源部からの光を前記第１の面から前記第２の面、あるいは前記第２の面から前記第１の面へ向けて選択的に透過させる光変調ユニットに対し、
前記光源部を、前記第１の面および前記第２の面いずれかの側に選択的に配置し、
前記第２の側から見て非反転像を表示するように、前記光源部からの光を透過させることを特徴とする撮影用表示方法。
【請求項１９】
所定の方向に光を放射する光源部を有するプレート状の光源ユニットと、
撮影光学系により捉えられる被写体像を形成するため前記光源ユニットからの光を選択的に透過させる液晶パネルとを備え、
前記液晶パネルのカメラ前面側およびカメラ背面側に前記光源ユニットを収納可能な第１の空間領域及び第２の空間領域がカメラ本体に形成され、
前記光源ユニットが、前記第１あるいは第２の空間領域のいずれかへ選択的に着脱自在に装着され、
前記液晶パネルが、カメラ背面側から見て非反転像を表示するように、前記光源ユニットからの光を透過させることを特徴とするデジタルカメラ。
【請求項２０】
所定の方向に光を放射する光源部を有するＵ字型の光源ユニットと、
撮影光学系により捉えられる被写体像を形成するため前記光源ユニットからの光を選択的に透過させる液晶パネルとを備え、
前記光源ユニットを収納可能となるように、カメラ前面側から背面側に渡って第１の空間領域および第２の空間領域がカメラ本体に形成され、
前記光源部が、Ｕ字型の前記光源ユニットの一方のバー状部材内に設けられ、前記第１あるいは第２の空間領域のいずれかに前記光源部が配置されるように、Ｕ字型の前記光源ユニットが前記第１及び第２の空間領域へ着脱自在に装着され、
前記液晶パネルが、カメラ背面側から見て非反転像を表示するように、前記光源ユニットからの光を透過させることを特徴とするデジタルカメラ。
【発明の詳細な説明】
【０００１】
【発明の属する技術分野】
本発明は、デジタルカメラや撮影機能付き携帯機器等の被写体像表示に関する。特に、撮影時に撮影範囲や、構図等を確認するための画像表示に関する。
【０００２】
【従来の技術】
従来のデジタルカメラ等では、撮影時に撮影範囲、構図を確認するため被写体像を液晶表示部に標示することが可能である。特に、カメラを保持しながら撮影者自身を撮影する場合、記録される自身の像を確認するため、背面側に取付けられた液晶標示部を１８０°回転させることが可能なカメラが知られている（例えば特許文献１参照）。被写体側から見る場合、液晶表示部に表示される像を自身の像として見慣れている鏡像に対応させるため、表示される被写体像を信号処理によって左右反転させる。
【０００３】
【特許文献１】
特開２０００−２１７０１６号公報（第５図、第３３図）
【０００４】
【発明が解決しようとする課題】
被写体側から撮影されている像を確認できるようにするためには、液晶表示パネルを回動させる回動部材や、被写体像の鏡像を表示するための左右反転スイッチ、左右反転のための信号処理等が必要であり、カメラの機構が複雑になる。
【０００５】
そこで本発明では、簡易な構造により、撮影者側から見た場合には被写体像を上下左右反転がなく、そのまま表示するとともに、被写体側から見た場合には鏡像を表示することができるデジタルカメラ、撮影用表示装置等を提供することを目的とする。
【０００６】
【課題を解決するための手段】
本発明のデジタルカメラは、撮影時に被写体像を表示可能なデジタルスチルカメラ、あるいはデジタルムービーカメラであり、光源ユニットと、液晶パネルとを備える。光源ユニットは、所定の方向に光を放射する光源部を有し、液晶パネルは、撮影光学系により捉えられる被写体像を形成するため光源部からの光を選択的に透過させる。本発明では、カメラ本体の前面側および背面側に光源部を配置可能な第１の空間領域及び第２の空間領域が形成され、光源ユニットは、第１および第２の空間領域のいずれかへ光源部が選択的に配置されるように、カメラ本体に装着される。そして、液晶パネルは、第１の空間領域に配置された場合、カメラ背面側から見て非反転像を表示するように、前記光源ユニットからの光を透過させる。なお、非反転像とは、左右上下反転のないそのままの被写体像をいう。一方、第２の空間領域に配置された場合、カメラ前面側から見て被写体像の鏡像を表示する。
【０００７】
本発明のデジタルカメラは、光源ユニットとカメラ本体とから構成される。光源ユニットは、所定の方向に光を放射する光源部を備え、カメラ本体に着脱可能である。光源部は、液晶パネル全体へ光を放射させるため一方向に沿って光を放出する発光面を有している。一方、カメラ本体には、撮影光学系により捉えられる被写体像を形成するため、光源ユニットからの光を選択的に透過させ、カメラ前面方向を第１のパネル面およびカメラ背面方向を第２のパネル面が向いている状態でカメラ本体に設けられる液晶パネルが含まれる。第１及び第２のパネル面はカメラ本体外部から視認される。液晶パネルは、撮影光学系により捉えられる被写体像を形成するため、光源ユニットからの光を選択的に透過させる。例えば、カメラ本体には、液晶パネルの前面側、及び背面側に２つの空間領域が形成されており、光源部がこれらのいずれかへ選択的に配置されるように、光源ユニットがカメラ本体に着脱自在に装着される。この時、好ましくは、カメラ本体は、左右両側面を通る線に沿って形成されるとともに光源ユニットの装着方向を案内する案内溝を備える。さらに、光源ユニット装着時に発光面が液晶パネルと対向するように、光源ユニットの装着方向を規定するため、案内溝は左右非対称に形成されていることが好ましい。例えば、カメラ本体は、案内溝に沿って光源ユニットに電力供給するための本体側電源接続部を有する。
【０００８】
一方、例えば光源ユニットは、案内溝に沿って係合しながら摺動できるガイドレールを備え、さらにガイドレールに沿って本体側電源接続部と接触するためのユニット側電源接続部を有する。光源部がカメラ本体から見て前面側のパネル面に配置されると、液晶パネルは、非反転像をカメラ背面側に表示するように、光源ユニットからの光を透過させる。一方、光源ユニットがカメラ本体の背面側の第２空間領域に装着されると、被写体像の鏡像がカメラ前面側から確認される。
【０００９】
カメラ本体に着脱可能な光源ユニットは、例えばＵ字型であり、そのいずれか一方のバー状部材内部に光源部が設けられ、他方のバー状部材は光を遮断しないように構成される。光源部が、液晶パネルを備えたカメラ本体の第１の空間領域及び第２の空間領域へ選択的に配置されるように、Ｕ字型の光源ユニットがカメラ本体に手動により、着脱自在に装着される。この時、好ましくはカメラ本体が、カメラ本体の底面および上面を通る線に沿って形成されるとともにＵ字型の光源ユニットの装着方向を案内するガイドレールを備える。さらに、例えばカメラ本体には、ガイドレールに沿って、Ｕ字型の光源ユニットへ電力供給するための本体側電源接続部が含まれる。
【００１０】
一方、Ｕ字型の光源ユニットは、例えばガイドレールと摺動可能に係合し、発光面が前記液晶パネルと対向するように、左右対称に形成されている案内溝を備えている。さらにＵ字型の光源ユニットは、本体側電源接続部と接触するために、案内溝に沿って配置されるユニット側電源接続部を有する。Ｕ字型の光源ユニットが、カメラ本体の前面側の第１の空間領域に装着されると、液晶パネルは、非反転像をカメラ背面から見て表示するように、光源ユニットからの光を透過させる。一方、Ｕ字型の光源ユニットがカメラ本体の背面側の第２の空間領域に装着されると、被写体像の鏡像が、カメラ前面側から確認される。
【００１１】
本発明の撮影用表示装置は、デジタルカメラや撮影機能付き携帯機器等に適用することができる表示装置である。光を放射する光源部と、被写体側となる第１の側を向く第１の面と、前記第１の側とは反対側になる第２の側を向く第２の面とを有し、撮影光学系により捉えられる被写体像を形成するため光源部からの光を第１の面から第２の面、あるいは第２の面から第１の面へ向けて選択的に透過させる光変調ユニットとを備える。そして、光源部が、前記第１の面および前記第２の面いずれかの側に選択的に配置され、光変調ユニットが、第２の側から見て非反転像を表示するように、光源部からの光を透過させる。
【００１２】
本発明の撮影用表示方法においては、光を所定方向に放射させ、被写体側となる第１の側を向く第１の面と、第１の側とは反対側になる第２の側を向く第２の面とを有し、撮影光学系により捉えられる被写体像を形成するため光源部からの光を第１の面から第２の面、あるいは第２の面から第１の面へ向けて選択的に透過させる光変調ユニットに対し、光源部を、第１の面および第２の面いずれかの側に選択的に配置する。この時、第２の側から見て非反転像を表示するように、光源部からの光を透過させる。
【００１３】
【発明の実施の形態】
以下では、図面を参照して本発明の実施形態であるデジタルスチルカメラについて説明する。
【００１４】
図１、図２は、それぞれ第１の実施形態であるデジタルスチルカメラ本体の正面図及び背面図である。図３は、バックライトユニットの正面図であり、図４は、バックライトユニットの上から見た平面図である。
【００１５】
デジタルスチルカメラ１０は、撮影モード時に被写体像を動画像として表示し、再生モード時には記録画像を再生することが可能であり、表示用の液晶パネル５０と、着脱自在に装着されるバックライトユニット２４を有する。図１、図２では、バックライトユニット２４が装着されていないデジタルスチルカメラ本体１０Ａが示されている。
【００１６】
デジタルスチルカメラ本体１０Ａの前面１０Ｆには、鏡筒１２の傍にバックライトユニット２４が格納可能な空間領域である前面バックライト格納部１４が形成されている。バックライトユニット２４が、前面バックライト格納部１４に格納される場合、図１に示す矢印の方向に沿って着脱される。一方、デジタルスチルカメラ本体１０Ａの背面１０Ｂにも、ファインダ１１及び十字型の設定ボタン１８の側にバックライトユニット２４が格納可能な背面バックライト格納部２０が形成されており、バックライトユニット２４が、背面バックライト格納部２０に格納される場合、図２に示した矢印の方向に沿って着脱される。バックライトユニット２４は、必要に応じて前面バックライト格納部１４あるいは背面バックライト格納部２０のいずれかに選択的に装着される。
【００１７】
前面バックライト格納部１４あるいは背面バックライト格納部２０の間に形成されるプレート部材５０Ｐに液晶パネル５０が設けられており、液晶パネル５０のカメラ前面１０Ｆの側には前面表示パネル５０Ｆが形成され、カメラ背面１０Ｂ側には背面表示パネル５０Ｂが形成されている。
【００１８】
バックライトユニット２４の前面２４Ｆ上には、バックライト発光面２６が設けられており、バックライト発光面２６を通して光が放射される。バックライトユニット２４の上面２４Ｕには、カメラ本体１０Ａからバックライトユニット２４へ電源供給するため、第１バックライト電源２８、第２バックライト電源３０、第１ＧＮＤ接点３２及び第２ＧＮＤ接点３４が設けられている。さらに、バックライトユニット２４の上面２４Ｕには、デジタルスチルカメラ本体１０Ａに装着するためのガイドレール３６が、発光面２６に沿って設けられている（図４参照）。第１バックライト電源２８近傍に第１ＧＮＤ接点３２が、第２バックライト電源３０近傍には第２ＧＮＤ接点３４が設けられており、第１バックライト電源２８と第１ＧＮＤ接点３２、第２バックライト電源３０と第２ＧＮＤ接点３４とがそれぞれ対になって配置されている（図４参照）。
【００１９】
図５は、デジタルスチルカメラ本体１０Ａの側面図であり、図６は、バックライトユニット２４の側面図である。
【００２０】
図５では、バックライトユニット２４が、前面バックライト格納部１４及び背面バックライト格納部２０のいずれにも挿入されていない状態のデジタルスチルカメラ本体１０Ａが示されている。前面バックライト格納部１４の上部には、バックライトユニット２４の装着方向をガイドするための前面バックライト挿入溝１６が形成され、また、背面バックライト格納部２０上部にも、バックライトユニット２４をガイドするための背面バックライト挿入溝２２が形成されている。前面バックライト格納部１４及び背面バックライト格納部２０の空間領域は、バックライトユニット２４のサイズに対応しており、バックライトユニット２４が装着されると、バックライトユニットの背面２４Ｂは、デジタルスチルカメラ１０の前面１０Ｆあるいは背面１０Ｂの一部を構成する。バックライトユニット２４のガイドレール３６は、前面バックライト挿入溝１６、あるいは背面バックライト挿入溝２２に沿って摺動可能となるように断面形状が形成されている。バックライトユニット２４を、前面バックライト格納部１４、あるいは背面バックライト格納部２０のいずれかに格納する場合、ユーザは前面バックライト挿入溝１６、あるいは背面バックライト挿入溝２２にガイドレール３６をはめながら、バックライトユニット２４を装着する。ガイドレール３６は、断面形状が左右非対称となるよう形成されており、前面バックライト挿入溝１６および背面バックライト挿入溝２２は、ガイドレール３６の左右非対称の形状に適応するように形成されている。このため、前面バックライト挿入溝１６及び背面バックライト挿入溝２２は、挿入される際の挿入の向きが規定されている。
【００２１】
図７は、バックライトユニット２４の上方から見た平面図と、バックライトユニット２４の装着されていないデジタルスチルカメラ本体１０Ａの底面図と合わせて示した図である。
【００２２】
前面バックライト格納部１４上部には、第１電源４０及び第１ＧＮＤ４４が対になって設けられており、背面バックライト格納部２０上部には、第２電源４２及び第２ＧＮＤ４６が対になって設けられている。前述したように、前面バックライト挿入溝１６及び背面バックライト挿入溝２２に挿入される際の挿入の向きは規定されており、バックライト発光面２６は、前面バックライト格納部１４あるいは背面バックライト格納部２０のいずれに格納される場合においても、デジタルスチルカメラ１０の内部を向くように装着される。すなわち、バックライトユニット２４が前面バックライト格納部１４に装着される場合、バックライトユニット２４の右側面２４Ｒをデジタルスチルカメラ本体１０Ａに向けながら装着され、第１バックライト電源２８は第１電源４０に接触され、第１ＧＮＤ接点３２は第１ＧＮＤ４４に接触される。一方、バックライトユニット２４が背面バックライト格納部２０に装着される場合、バックライトユニット２４の左側面２４Ｌをデジタルスチルカメラ本体１０Ａに向けながら装着され、第２バックライト電源３０は第２電源４２に接触され、第２ＧＮＤ接点３４は、第２ＧＮＤ４６に接触される。この結果、バックライトユニット２４に対し、デジタルスチルカメラ本体１０Ａから電源供給される。
【００２３】
図８は、バックライトユニット２４の断面図であり、図９は、図７のラインＡ−Ａ’に沿ったバックライトユニット２４を装着していない状態でのデジタルスチルカメラ本体１０Ａの断面図である。
【００２４】
バックライトユニット２４には、光源部６１が設けられており、光源部６１には、白色ＬＥＤ等の光源６２、バックライト発光面２６、導光板６６、金属板６８等が含まれる。バックライトユニット２４に電力が供給されると、光源６２から光が放射され、放射された光は導光板６６及び金属板６８によってバックライト発光面２６全体へ均等に導かれる。その結果、バックライト発光面２６から光が均一に放射される。
【００２５】
デジタルスチルカメラ本体１０Ａに内蔵されている液晶パネル５０は、第１偏光板５６、第１ガラス板５２、液晶６０、第２ガラス板５４、及び第２偏光板５８により構成されており、第１ガラス板５２あるいは第２ガラス板５４内に、ＲＧＢのカラーフィルタがマトリクス状に規則的に並んでいる。液晶パネル５０は、デジタルスチルカメラ本体１０Ａに設けられた駆動回路（図示せず）によって駆動されており、撮影光学部により捉えられた被写体像が撮影素子（図示せず）に形成されると、撮影素子から画像信号が読み出され、所定の処理が施された駆動回路が液晶パネル５０を駆動する。これにより、バックライトユニット２４の発光により、被写体像を形成するように液晶パネル５０が選択的に光を透過させる。
【００２６】
液晶表示パネル５０は、透明な液晶６０を中心として対称的に構成されており、パネル前面５０Ｘ、パネル背面５０Ｙを介して被写体像をカメラ前面及びカメラ背面から観察可能である。すなわち、後述するように、液晶パネル５０をカメラ背面側から見ると左右対称反転のない非反転像が観察され（ファインダを介して視認される像と同じ像を表示するように）、液晶パネル５０をカメラ前面側から見ると、左右反転した鏡像が観察される。
【００２７】
図１０は、本実施形態であるデジタルスチルカメラ１０の背面１０Ｂ上で表示される被写体像を示した図であり、図１１は、前面バックライト格納部１４にバックライトユニット２４を装着した場合のデジタルスチルカメラ１０の側面図である。
【００２８】
バックライトユニット２４が前面バックライト格納部１４に格納される場合、撮影光学系１３によって捉えられた被写体像７０は、パネル背面５０Ｙ上に表示され、背面表示パネル５０Ｂ及び背面バックライト格納部２０を介して被写体像７０が、デジタルスチルカメラの背面１０Ｂ側から視認される。この場合、撮影光学系１３によって捉えられた像がそのまま非反転像として視認される。被写体となっているモデルの人が右手を挙げている場合、撮影者にとって左側の手７０Ｌが挙がっている状態として被写体像７０が認識される（図１０参照）。
【００２９】
図１２は、本実施形態であるデジタルスチルカメラ１０の前面１０Ｆ上に表示される被写体像を示した図であり、図１３は、背面バックライト格納部２０にバックライトユニット２４を装着した場合のデジタルスチルカメラ１０の側面図である。
【００３０】
バックライトユニット２４が背面バックライト格納部２０に格納される場合、撮影光学系１３によって捉えられた被写体像７２は、パネル前面５０Ｘ上に表示され、前面表示パネル５０Ｆ及び前面バックライト格納部１４を介して被写体像７２がデジタルスチルカメラ前面１０Ｆ側から視認される。バックライト２４がデジタルスチルカメラ背面１０Ｂ側から光を放射しているため、被写体像の鏡像が、被写体側（カメラ前面側）から視認される。従って、被写体となっている撮影者自身が右手を挙げると、液晶表示部５０上に撮影者にとって右側の手７２Ｒが挙がった状態として被写体像７２が認識される（図１２参照）。
【００３１】
以上のように本実施形態によれば、デジタルスチルカメラ本体１０Ａには、液晶パネル５０が設けられるとともに、前面バックライト格納部１４、背面バックライト格納部２０がそれぞれデジタルスチルカメラ前面１０Ｆ、デジタルスチルカメラ背面１０Ｂ側に形成されている。そして、バックライトユニット２４が着脱自在に前面バックライト格納部１４、背面バックライト格納部２０いずれかに装着される。このデジタルスチルカメラ本体１０Ａに、カメラ前面側とカメラ背面側のいずれにも着脱可能なバックライトユニット２４が用いられることで、被写体側あるいは撮影者側への被写体像の表示が選択できる。被写体側への表示が選択された場合、被写体像を反転することなく被写体像の鏡像が表示される。
【００３２】
以下では、図１４から図２６を用いて、第２実施形態であるデジタルスチルカメラについて説明する。第２実施形態では、第１の実施形態と異なり、Ｕ字型のバックライトユニットが、デジタルスチルカメラ本体に着脱自在に装着される。
【００３３】
図１４は、第２実施形態であるデジタルスチルカメラ本体８０Ａの正面図であり、図１５は、デジタルスチルカメラ本体８０Ａの背面図である。また、図１６は、バックライトユニット９０の平面図であり、図１７は、バックライトユニット９０が装着されたデジタルスチルカメラ８０の底面図である。
【００３４】
デジタルスチルカメラ本体８０Ａのプレート状部材８０Ｐには、液晶表示部１１０が設けられており、プレート状部材８０Ｐには、前面表示パネル１１０Ｆ及び背面表示パネル１１０Ｂがそれぞれデジタルスチルカメラ８０の前面８０Ｆ、背面８０Ｂ側に形成されている。バックライトユニット９０は、Ｕ字型に形成されており、デジタルスチルカメラ本体８０Ａには、バックライトユニット９０を格納するための空間領域であるバックライトユニット格納部８２Ａ及びバックライトユニット格納部８２Ｂが、デジタルスチルカメラ本体８０Ａの前面及び背面に渡って形成されている。バックライトユニット格納部８２は、バックライトユニット９０のサイズ、形状に対応しており、バックライトユニット９０が装着されると、デジタルスチルカメラ８０の前面、側面及び背面の一部を構成する（図１７参照）。デジタルスチルカメラ本体の左側面８０Ｓに沿ってガイドレール８４が設けられ、バックライトユニット９０に形成されたバックライトユニット挿入溝９２（図１６参照）は、ガイドレール８４が摺動可能となるように断面形状が規定されている。よって、バックライトユニット９０は、矢印の方向（図１４、１５参照）に沿って着脱される。
【００３５】
図１８は、デジタルスチルカメラ本体８０Ａの左側面図である。また、図１９はバックライトユニット９０の側面図である。
【００３６】
ガイドレール８４は、第１実施形態と異なり、対称的に形成される。従って、バックライトユニット９０を、バックライトユニット挿入溝９２を中心としてともにバー状のバックライトユニット部位９０Ａと、バックライトユニット部位９０Ｂとに区分けした場合（図１６、図１９参照）、バックライトユニット部位９０Ｂがバックライトユニット格納部８２Ａ、バックライトユニット部位９０Ａがバックライトユニット格納部８２Ｂに装着可能であるとともに、バックライトユニット部位９０Ａがバックライトユニット格納部８２Ａ、バックライトユニット部位９０Ｂがバックライトユニット格納部８２Ｂに装着することも可能である。
【００３７】
バックライトユニット部位９０Ａの上面９０Ｓ側には第１バックライト接点１００が、バックライトユニット部位９０Ａの底面９０Ｕ側には、第２バックライト接点１０２が設けられている。また、バックライトユニット部位９０Ｂの上面９０Ｔ側に第３バックライト接点１０４が、バックライトユニット部位９０Ｂの底面９０Ｖ側には第４バックライト接点１０６が設けられている。底面９０Ｕ及び９０Ｖがデジタルスチルカメラ８０の底面の一部を構成するようにバックライトユニット９０が装着された場合、第１バックライト接点１００及び第３バックライト接点１０４は、デジタルスチルカメラ本体８０Ａに設けられた第１カメラ接点８６及び第２カメラ接点８８にそれぞれ接触される。また、上面９０Ｓ及び９０Ｔがデジタルスチルカメラ８０の底面８０Ｕの一部を構成するようにバックライトユニット９０が装着された場合、第２バックライト接点１０２及び第４バックライト接点１０６は、デジタルスチルカメラ本体８０Ａの側面に設けられている第１カメラ接点８６及び第２カメラ接点８８にそれぞれ接触される。これら接点の接触により、バックライトユニット９０は、デジタルスチルカメラ８０から電力供給を受ける。なお、デジタルスチルカメラ本体８０Ａには、バックライトユニット９０を保持するための停止ばね（図示せず）が設けられており、カメラ使用中、バックライトユニット９０は停止ばねによって支持される。バックライトユニット９０を取り外す場合、レバー（図示せず）を操作することで、バックライトユニット９０は停止状態から解放される。
【００３８】
図２０、２１、２２は、バックライトユニット９０の図１６におけるＢ−Ｂ’間に沿った断面図である。
【００３９】
バックライトユニット部位９０Ａには、光源部９１が設けられており、光源部９１には、白色ＬＥＤ等の光源１１６、バックライト発光面１０８、導光板１１８、金属板１２０等が含まれる（図２０参照）。光源１１６より放射された光は、導光板１１８によってバックライト発光面１０８上全体に拡散される。  一方、バックライトユニット部位９０Ｂには、遮光用のバックライトユニットフード９４が設けられている。バックライトユニットフード９４は、いわゆるダブルヒンジ構造によって取付けられており、第１回転中心９６、第２回転中心９８の２つの回転中心とアーム９７が設けられている。このため、バックライトユニットフード９４は、第１回転中心９６、第２回転中心９８のいずれをも中心とした軸回転が可能である（図２１、図２２参照）。
【００４０】
図２３は、バックライトユニット部位９０Ａがデジタルスチルカメラ８０の前面８０Ｆ側となるようにバックライトユニット９０が装着された場合のカメラ側面図であり、図２４は、この時表示される被写体像を示した図である。
【００４１】
バックライトユニット部位９０Ａが、バックライトユニット格納部８２Ａに格納されるようにバックライトユニット９０が装着された場合、バックライトユニット９０内部の発光板１０８から光が放射されるとともに、バックライトユニットフード９４は、第１回転中心９６を中心にして開く。その結果、バックライトユニット部位９０Ａからデジタルスチルカメラの背面８０Ｂに向かって光が放射され、液晶表示部１１０の背面パネル１１０Ｙ上に写し出された被写体像１１２は、背面表示パネル１１０Ｂ、バックライトユニット格納部８２Ｂを介して、デジタルスチルカメラ８０の背面８０Ｂにて撮影者に視認される（図２４参照）。外界から液晶パネル１１０に注がれる光ＤＬは、バックライトユニットフード９４によって遮られるため、良好な視認性が撮影者に提供される（図２３参照）。
【００４２】
図２５は、バックライトユニット部位９０Ａが、デジタルスチルカメラの背面８０Ｂ側となるようにバックライトユニット９０が装着された場合のカメラ側面図であり、図２６は、この時表示される被写体像を示した図である。
【００４３】
バックライトユニット部位９０Ａが、バックライトユニット格納部８２Ｂに配置されるようにバックライトユニット９０が装着された場合、バックライトユニット９０内部の発光板１０８から光が放射されるとともに、バックライトユニットフード９４は、第２回転中心９８を中心にして開く。その結果、バックライトユニット部位９０Ａからデジタルスチルカメラの前面８０Ｆに向かって光が放射され、液晶表示部１１０の前面パネル１１０Ｘ上に写し出された被写体像１１４は、前面表示パネル１１０Ｆ、バックライトユニット格納部８２Ａを介して、デジタルスチルカメラ８０の前面８０Ｆにて撮影者に視認される（図２６参照）。
【００４４】
以上のように第２の実施形態によれば、デジタルスチルカメラ本体には、Ｕ字型バックライトユニット９０が着脱自在に装着される。これにより、ユーザは従来のカメラと同様に保持、操作することが可能となる。
【００４５】
なお、バックライトユニット９０内のバックライトユニット部位９０Ｂに、フード９４を設ける代わりに、無色透明なガラス板を設けるように構成しても良い。
【００４６】
第１、第２実施形態では、板状のバックライトユニット２４、Ｕ字型のバックライトユニット９０を適用しているが、それ以外の形状によりバックライトユニットを構成してもよい。
【００４７】
光源からの光は、発光面２６、１０８を介して一方向に沿って放射されるが、任意の方向に放射されるようにバックライトユニット２４、９０を構成してもよい。
【００４８】
第１、第２実施形態では、バックライトユニット２４、９０がそれぞれカメラ本体の左右方向、上下方向に沿って装着されるが、それ以外の方向から装着されるように構成してもよい。
【００４９】
第１、第２実施形態では、ユーザがバックライトユニット２４、９０をカメラ本体１０Ａ、８０Ａへ装着、取り外すが、第１空間領域１４、８２Ａ、第２空間領域２０、８２Ｂを選択的に退避するように、カメラ本体に取り付けられたバックライトユニット２４、９０が可動する構成にしてもよい。この場合、自動的にバックライトユニット２４、９０が可動するように構成してもよい。
【００５０】
本実施形態では、バックライトを使用する液晶パネル５０、１１０により被写体像を構成しているが、それ以外の光を選択的に透過させることが可能な光変調ユニットを適用してもよい。
【００５１】
第１、第２実施形態では、表示装置が組み込まれたデジタルスチルカメラ１０、８０を示しているが、デジタルムービーカメラに適用してもよい。あるいは、表示部を備えた銀塩カメラに適用してもよい。さらには、撮影機能付き携帯電話などの携帯機器に適用してもよい。
【００５２】
【発明の効果】
以上のように本発明によれば、簡易な構造により、撮影者側から見た場合には被写体をそのまま表示するとともに、被写体側から見た場合には鏡像を表示することができる。
【図面の簡単な説明】
【図１】第１実施形態であるデジタルスチルカメラの正面図である。
【図２】デジタルスチルカメラの背面図である。
【図３】バックライトユニットの正面図である。
【図４】デジタルスチルカメラの上面図である。
【図５】デジタルスチルカメラの側面図である。
【図６】バックライトユニットの側面図である。
【図７】バックライトユニットの上面図とデジタルスチルカメラの底面図である。
【図８】バックライトユニットの断面図である。
【図９】デジタルスチルカメラの断面図である。
【図１０】被写体像をカメラ背面側に表示している状態でのデジタルスチルカメラの背面図である。
【図１１】被写体像をカメラ背面側に表示している状態でのデジタルスチルカメラの側面図である。
【図１２】被写体像をカメラ前面側に表示している状態でのデジタルスチルカメラの正面図である。
【図１３】被写体像をカメラ前面側に表示している状態でのデジタルスチルカメラの側面図である。
【図１４】第２実施形態におけるデジタルスチルカメラの正面図である。
【図１５】デジタルスチルカメラの背面図である。
【図１６】バックライトユニットの平面図である。
【図１７】バックライトユニットが装着されたデジタルスチルカメラの底面図である。
【図１８】デジタルスチルカメラの側面図である。
【図１９】バックライトユニットの側面図である。
【図２０】バックライトユニットフードを閉じた、図１６のＢ−Ｂ’に沿ったバックライトユニットの断面図である。
【図２１】バックライトユニットフードを上に向けて開いた、図１６のＢ−Ｂ’に沿ったバックライトユニットの断面図である。
【図２２】バックライトユニットフードを下に向けて開いた、図１６のＢ−Ｂ’に沿ったバックライトユニットの断面図である。
【図２３】被写体像を背面に表示するようにバックライトユニットが装着されたデジタルスチルカメラの側面図である。
【図２４】デジタルスチルカメラ背面側に表示された被写体像を示した図である。
【図２５】被写体像を前面に表示するようにバックライトユニットが装着されたデジタルスチルカメラの側面図である。
【図２６】デジタルスチルカメラ前面側に表示された、鏡像としての被写体像を示した図である。
【符号の説明】
１０、８０  デジタルスチルカメラ（デジタルカメラ）
１４  前面バックライト格納部（第１の空間領域）
２０  背面バックライト格納部（第２の空間領域）
８２Ａ  バックライト格納部（第１の空間領域）
８２Ｂ  バックライト格納部（第２の空間領域）
２４、９０  バックライトユニット（光源ユニット）
２６、１０８  バックライト発光面（発光面）
５０、１１０  液晶表示パネル
５０Ｆ、１１０Ｆ  前面表示パネル（第１のパネル面）
５０Ｂ、１１０Ｂ  背面表示パネル（第２のパネル面）
６１、９１  光源部
９４  バックライトユニットフード
【図１】
2004248055.tif 000003
【図２】
2004248055.tif 000004
【図３】
2004248055.tif 000005
【図４】
2004248055.tif 000006
【図５】
2004248055.tif 000007
【図６】
2004248055.tif 000008
【図７】
2004248055.tif 000009
【図８】
2004248055.tif 000010
【図９】
2004248055.tif 000011
【図１０】
2004248055.tif 000012
【図１１】
2004248055.tif 000013
【図１２】
2004248055.tif 000014
【図１３】
2004248055.tif 000015
【図１４】
2004248055.tif 000016
【図１５】
2004248055.tif 000017
【図１６】
2004248055.tif 000018
【図１７】
2004248055.tif 000019
【図１８】
2004248055.tif 000020
【図１９】
2004248055.tif 000021
【図２０】
2004248055.tif 000022
【図２１】
2004248055.tif 000023
【図２２】
2004248055.tif 000024
【図２３】
2004248055.tif 000025
【図２４】
2004248055.tif 000026
【図２５】
2004248055.tif 000027
【図２６】
2004248055.tif 000028